(57)【要約】【課題】ランプ用のソケットを覆うソケットカバーが容易に外れないようにする。【解決手段】ソケットカバー１４は、山なり形状（トンネル形状）をなし、一端側が開口し、他端側が塞がれたカバー本体３１を備える。カバー本体３１の内側の両側面には、それぞれ案内溝３３が形成される。ソケットカバー１４を照明器具の器具本体に取り付ける際には、まず、器具本体に設けられたソケットカバーベースにソケットカバー１４を嵌め込む。ソケットカバーベースにソケットカバー１４が嵌ると、ソケットカバーベースのソケットカバー１４が取り付けられる面から突出する突出片の先端にある爪が案内溝３３に入り込む。この状態で、カバー本体３１をスライドさせてソケットカバー１４を閉じる。【選択図】図４
2015176799.tif 000002
【特許請求の範囲】
【請求項１】
ランプ用のソケットを覆うためのソケットカバーを、前記ソケットの周囲に設けられるソケットカバーベースにスライドさせて取り付けるソケットカバー取付機構であって、
前記ソケットカバーの内側に案内溝が形成され、
前記ソケットカバーベースの前記ソケットカバーが取り付けられる面から突出する突出片の先端に爪が形成され、
前記爪が前記案内溝に入り込んだ状態で、前記ソケットカバーが前記ソケットを覆う位置までスライドすることを特徴とするソケットカバー取付機構。
【請求項２】
前記爪がテーパになっていることを特徴とする請求項１のソケットカバー取付機構。
【請求項３】
前記ソケットカバーに、前記ソケットカバーのスライド方向に突出する凸部と前記凸部に対応する凹部とのうち一方が形成され、
前記ソケットカバーベースに、前記凸部と前記凹部とのうち他方が形成され、
前記ソケットカバーが前記ソケットを覆う位置に達した状態で、前記凸部が前記凹部に嵌ることを特徴とする請求項１又は２のソケットカバー取付機構。
【請求項４】
前記凸部が前記凹部に嵌ることにより、前記ソケットカバーベースの前記ソケットカバーが取り付けられる面に対して垂直な方向への前記凸部の抜けが阻止されることを特徴とする請求項３のソケットカバー取付機構。
【請求項５】
前記凸部が前記凹部に嵌まり込む際に音が発生することを特徴とする請求項３のソケットカバー取付機構。
【請求項６】
ランプ用のソケットの周囲に設けられるソケットカバーベースにスライドして取り付けられる、前記ソケットを覆うためのソケットカバーであって、
内側に案内溝が形成されたカバー本体
を備え、
前記ソケットカバーベースの前記ソケットカバーが取り付けられる面から突出する突出片の先端に形成された爪が前記案内溝に入り込んだ状態で、前記カバー本体が前記ソケットを覆う位置までスライドすることを特徴とするソケットカバー。
【請求項７】
前記カバー本体に、前記カバー本体のスライド方向に突出する凸部と前記凸部に対応する凹部とのうち一方が形成され、
前記ソケットカバーベースに、前記凸部と前記凹部とのうち他方が形成され、
前記カバー本体が前記ソケットを覆う位置に達した状態で、前記凸部が前記凹部に嵌ることを特徴とする請求項６のソケットカバー。
【請求項８】
前記凸部が前記凹部に嵌ることにより、前記ソケットカバーベースの前記ソケットカバーが取り付けられる面に対して垂直な方向への前記凸部の抜けが阻止されることを特徴とする請求項７のソケットカバー。
【請求項９】
前記凸部が前記凹部に嵌まり込む際に音が発生することを特徴とする請求項７のソケットカバー。
【請求項１０】
器具本体と、
前記器具本体に取り付けられるソケットと、
前記ソケットを覆うためのソケットカバーと、
前記ソケットの周囲に設けられ、前記ソケットカバーがスライドして取り付けられるソケットカバーベースと
を備え、
前記ソケットカバーの内側に案内溝が形成され、
前記ソケットカバーベースの前記ソケットカバーが取り付けられる面から突出する突出片の先端に爪が形成され、
前記爪が前記案内溝に入り込んだ状態で、前記ソケットカバーが前記ソケットを覆う位置までスライドすることを特徴とする照明器具。
【発明の詳細な説明】
【技術分野】
【０００１】
本発明は、ソケットカバー取付機構及びソケットカバー及び照明器具に関するものである。
【背景技術】
【０００２】
直管形ランプ用のソケットを覆うように取り付けられるソケットカバーに関する技術がある（例えば、特許文献１，２参照）。
【先行技術文献】
【特許文献】
【０００３】
【特許文献１】特開２０１３−１１４８１４号公報
【特許文献２】特開平７−３３５００８号公報
【発明の概要】
【発明が解決しようとする課題】
【０００４】
特許文献１に記載されている照明器具では、ランプ交換時にソケットカバーのロックを解除するボタンを押してソケットカバーをスライドさせる構造が採用されている。この構造では、解除ボタンが一目瞭然に確認できる。したがって、この構造を採用した照明器具が、鉄道車両のように不特定多数の人がいる場所で高さ２ｍ程度の天井等に設置されると、容易にロックを解除できるため、意図しない第三者にランプを取り外されてしまうおそれがある。
【０００５】
特許文献２に記載されている照明器具では、ソケットカバーをつまんで変形させ、カバー台の係合凹部からソケットカバーの係合突部を外してソケットカバーをスライドさせる構造が採用されている。ソケットカバーを手でつまむ動作では、容易に握力がかけられる。したがって、この構造でも容易にソケットカバーをスライドさせることができるため、意図しない第三者にランプを取り外されてしまうおそれがある。
【０００６】
本発明は、例えば、ランプ用のソケットを覆うソケットカバーが容易に外れないようにすることを目的とする。
【課題を解決するための手段】
【０００７】
本発明の一の態様に係るソケットカバー取付機構は、
ランプ用のソケットを覆うためのソケットカバーを、前記ソケットの周囲に設けられるソケットカバーベースにスライドさせて取り付けるソケットカバー取付機構であって、
前記ソケットカバーの内側に案内溝が形成され、
前記ソケットカバーベースの前記ソケットカバーが取り付けられる面から突出する突出片の先端に爪が形成され、
前記爪が前記案内溝に入り込んだ状態で、前記ソケットカバーが前記ソケットを覆う位置までスライドする。
【発明の効果】
【０００８】
本発明では、ソケットカバーベースのソケットカバーが取り付けられる面から突出する突出片の先端に形成された爪が、ソケットカバーの内側に形成された案内溝に入り込んだ状態で、ソケットカバーがソケットを覆う位置までスライドする構造を採用している。このため、ソケットカバーが容易に外れない。
【図面の簡単な説明】
【０００９】
【図１】実施の形態１に係る照明器具の斜視図。
【図２】実施の形態１に係る照明器具のソケットカバーを外した状態を示す斜視図。
【図３】実施の形態１に係る照明器具のソケットカバーの斜視図。
【図４】実施の形態１に係る照明器具のソケットカバーの斜視図。
【図５】実施の形態１に係る照明器具のソケットカバーベースの斜視図。
【図６】実施の形態１に係る照明器具のソケットカバーベースの斜視図。
【発明を実施するための形態】
【００１０】
以下、本発明の実施の形態について、図を用いて説明する。なお、実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る照明器具１０の斜視図である。図２は、照明器具１０のソケットカバー１４を外した状態を示す斜視図である。
【００１２】
照明器具１０には直管形ランプ２０が着脱自在に取り付けられ、照明器具１０と直管形ランプ２０とで１台の照明装置が構成される。
【００１３】
直管形ランプ２０は、例えば、直管形蛍光ランプ、或いは、直管形ＬＥＤランプ（直管形蛍光ランプを模したＬＥＤランプ）である。直管形ＬＥＤランプは、両端の口金形状に従来の直管形蛍光ランプの口金であるＧ１３を用いたものであってもよいし、口金形状にＬＥＤ専用のＧＸ１６−ｔを用いたものであってもよいし、その他の口金形状を用いたものであってもよい。
【００１４】
なお、本実施の形態において、直管形ランプ２０はランプの例である。本実施の形態は、直管形ランプ２０を、任意の形状の口金を有する他の種類のランプに置き換えても適用することができる。
【００１５】
図１及び図２に示すように、照明器具１０は、器具本体１１と、電源装置１２（点灯装置）と、ソケット１３と、ソケットカバー１４と、ソケットカバーベース１５とを備える。
【００１６】
器具本体１１は、板形状をなす細長い直方体形状である。器具本体１１の一面側（照明器具１０が鉄道車両等の天井に設置される場合は上面側）には、電源装置１２が取り付けられる。器具本体１１の他面側（照明器具１０が鉄道車両等の天井に設置される場合は下面側）かつ長手方向の両端側には、ソケット１３及びソケットカバーベース１５が取り付けられる。
【００１７】
電源装置１２は、ソケット１３と電線により接続される。電源装置１２は、外部電源（例えば、商用電源）から入力される電力、或いは、内蔵電源（例えば、二次電池）に蓄電された電力を、ソケット１３に取り付けられた直管形ランプ２０に供給する。これにより、電源装置１２は、直管形ランプ２０を点灯させる。
【００１８】
照明器具１０が鉄道車両等の天井等の被取付部に設置される場合、電源装置１２が天井の既設の埋め込み穴に収納され、器具本体１１が埋め込み穴を塞ぐように被取付部に取り付けられる。
【００１９】
ソケット１３は、例えば、直管形ランプ２０が取り付けられる一般的なランプソケットである。直管形ランプ２０をソケット１３に押し当てて摺動させる突き当て式のもののほか、直管形ランプ２０を軸方向周りに回転させてソケット１３に取り付ける回転式のもの、或いは、突き当て式と回転式とを組み合わせたもの等を使用することができる。
【００２０】
ソケットカバー１４は、ソケット１３を覆うようにソケットカバーベース１５に着脱自在に取り付けられる。
【００２１】
ソケットカバーベース１５は、器具本体１１の長手方向の両端においてソケット１３の周囲に設けられる。ソケットカバーベース１５は、器具本体１１にネジ等によって固定される。ソケットカバーベース１５には、ソケットカバー１４がスライドして取り付けられる。
【００２２】
上記のように、本実施の形態では、ソケットカバー１４をソケットカバーベース１５にスライドさせて取り付けるソケットカバー取付機構を、照明器具１０に採用している。
【００２３】
図３及び図４は、ソケットカバー１４の斜視図である。図３は、照明器具１０が鉄道車両等の天井に設置される場合にソケットカバー１４の底面に当たる部分を上向きにした状態を示している。図４は、照明器具１０が鉄道車両等の天井に設置される場合にソケットカバー１４の底面に当たる部分を下向きにした状態（即ち、図３と上下逆向きの状態）を示している。
【００２４】
図３及び図４に示すように、ソケットカバー１４は、山なり形状（トンネル形状）をなし、一端側が開口し、他端側が塞がれたカバー本体３１を備える。カバー本体３１の山なりの両端部には、スライド片３２が形成される。カバー本体３１の内側の両側面には、それぞれ案内溝３３が形成される。また、カバー本体３１の内側には、カバー本体３１の他端側の塞がれた面からカバー本体３１のスライド方向に突出する装着音鳴凸部３４が形成される。それぞれのスライド片３２には、カバー本体３１の一端側の端部からカバー本体３１のスライド方向に突出する係合凸部３５が形成される。
【００２５】
図５及び図６は、ソケットカバーベース１５の斜視図である。図５は、照明器具１０が鉄道車両等の天井に設置される場合にソケットカバーベース１５の底面に当たる部分を上向きにした状態を示している。図６は、照明器具１０が鉄道車両等の天井に設置される場合にソケットカバーベース１５の底面に当たる部分を下向きにした状態（即ち、図５と上下逆向きの状態）を示している。
【００２６】
図５及び図６に示すように、ソケットカバーベース１５は、ベースプレート４１と、２つのスライドガイド部４２と、２つの突出片４３とを備える。ベースプレート４１には、ソケット１３が挿入される挿入孔４４が形成される。２つのスライドガイド部４２は、挿入孔４４を挟むように互いに平行にベースプレート４１から立設する。それぞれのスライドガイド部４２の一端側には、ソケットカバー１４の係合凸部３５に対応する係合凹部４５が形成される。２つの突出片４３は、それぞれスライドガイド部４２の他端側（係合凹部４５とは反対側）の近傍にて、ベースプレート４１のソケットカバー１４が取り付けられる面から突出（立設）する。それぞれの突出片４３の先端には、爪４６が形成される。爪４６は、テーパになっている。２つの突出片４３の間には、ソケットカバー１４の装着音鳴凸部３４に対応する装着音鳴凹部４７が形成される。
【００２７】
以下では、ソケットカバーベース１５にソケットカバー１４を取り付ける手順（本実施の形態に係るソケットカバー取付方法）について説明する。
【００２８】
まず、ソケット１３に直管形ランプ２０が取り付けられている状態にしてから、ソケットカバーベース１５のスライドガイド部４２の内側面とソケットカバー１４のスライド片３２の外側面とが当接するように、ソケットカバーベース１５にソケットカバー１４を嵌め込む。
【００２９】
ソケットカバーベース１５にソケットカバー１４が嵌ると、ソケットカバーベース１５の突出片４３の先端にある爪４６がソケットカバー１４の案内溝３３に入り込む。この状態で、ソケットカバーベース１５のスライドガイド部４２の内側面に沿ってソケットカバー１４のスライド片３２の外側面が摺動するように、ソケットカバー１４のカバー本体３１をスライドさせてソケットカバー１４を閉じる。即ち、爪４６が案内溝３３に入り込んだ状態で、ソケットカバー１４のカバー本体３１がソケット１３を覆う位置までカバー本体３１をスライドさせる。このとき、ソケットカバー１４の装着音鳴凸部３４がソケットカバーベース１５の装着音鳴凹部４７に嵌り込んで音が鳴る。それと同時に、ソケットカバー１４の係合凸部３５がソケットカバーベース１５の係合凹部４５に嵌る。即ち、ソケットカバー１４のカバー本体３１がソケット１３を覆う位置に達した状態で、装着音鳴凸部３４が装着音鳴凹部４７に嵌るとともに、係合凸部３５が係合凹部４５に嵌る。
【００３０】
このように、本実施の形態では、ソケットカバー１４をソケットカバーベース１５に差し込むだけで容易に器具本体１１に取り付けることができる。
【００３１】
本実施の形態では、ソケットカバーベース１５の爪４６がソケットカバー１４の案内溝３３に差し込まれ、爪４６が案内溝３３に沿って移動するようになっており、爪４６がソケットカバー１４の外れ防止と、ソケットカバー１４のスライドのガイドの２つの効果をもたらす。即ち、本実施の形態によれば、ソケットカバー１４が振動や意図しない操作等によって容易に外れないようにすることができるとともに、ソケットカバー１４を容易に取り付けることができる。
【００３２】
本実施の形態では、爪４６がテーパになっているため、爪４６が案内溝３３に容易に入り込める。したがって、ソケットカバー１４の取り付けが、より一層容易になる。
【００３３】
本実施の形態では、ソケットカバー１４を閉じると、装着音鳴凸部３４が装着音鳴凹部４７に嵌り、そのときに「カチッ」というような音が鳴るので、聴覚的にソケットカバー１４をソケットカバーベース１５に取り付けたことを確認できる。また、装着音鳴凸部３４が装着音鳴凹部４７に嵌る際に節度感（クリック感）が生ずるので、触覚的にもソケットカバー１４が閉まったことを確認できる。
【００３４】
なお、装着音鳴凸部３４は凸部の例であり、装着音鳴凹部４７は凹部の例である。装着音鳴凸部３４を凹部に変更し、装着音鳴凹部４７を凸部に変更しても、上記と同様の効果を得ることができる。即ち、凸部が凹部に嵌まり込む際に音が発生することにより、ソケットカバー１４の取り付けが完了したことを容易に確認できる。
【００３５】
本実施の形態では、ソケットカバー１４を閉じると、さらに、係合凸部３５が係合凹部４５に嵌るため、ソケットカバー１４の開口側の端部がずり下がることを防止できる。よって、万が一、爪４６に不具合が生じて爪４６が案内溝３３から外れやすくなっていても、係合凸部３５及び係合凹部４５の嵌合によりソケットカバー１４の脱落を防止することができる。
【００３６】
また、係合凸部３５は凸部の例であり、係合凹部４５は凹部の例である。係合凸部３５を凹部に変更し、係合凹部４５を凸部に変更しても、上記と同様の効果を得ることができる。即ち、凸部が凹部に嵌ることにより、ソケットカバーベース１５のソケットカバー１４が取り付けられる面に対して垂直な方向への凸部の抜けが阻止される。照明器具１０が鉄道車両等の天井に設置される場合は、ソケットカバー１４の脱落を防止することができる。
【００３７】
以上、本発明の実施の形態について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【００３８】
１０  照明器具、１１  器具本体、１２  電源装置、１３  ソケット、１４  ソケットカバー、１５  ソケットカバーベース、２０  直管形ランプ、３１  カバー本体、３２  スライド片、３３  案内溝、３４  装着音鳴凸部、３５  係合凸部、４１  ベースプレート、４２  スライドガイド部、４３  突出片、４４  挿入孔、４５  係合凹部、４６  爪、４７  装着音鳴凹部。
【図１】
2015176799.tif 000003
【図２】
2015176799.tif 000004
【図３】
2015176799.tif 000005
【図４】
2015176799.tif 000006
【図５】
2015176799.tif 000007
【図６】
2015176799.tif 000008